(57)【特許請求の範囲】
【請求項１】
ソーラーパネルを載せる上板と、前記上板を支える前脚及び後脚と、前記後脚の後側に配した背面板と、前記背面板に取り付けた太陽光を反射する反射板と、を有する架台であって、
前記反射板は、上下に複数段かつ左右に複数枚配置され、それぞれが両端に対して中央を凹ました湾曲面を有し、前記湾曲面に空けたスライド溝に留具を通して前記背面板に取り付けられることにより、前記湾曲面をスライドさせることで傾きを調整可能であり、
前記架台は、前後に並べて複数配置され、一の架台で太陽光を受けた各反射板がそれぞれ他の架台のソーラーパネルに向けて反射する、
ことを特徴とするソーラーパネル用架台。
【請求項２】
前記反射板が全体又は一部に凹凸を有する、
ことを特徴とする請求項１に記載のソーラーパネル用架台。
【請求項３】
前記反射板の凹凸がフレネルレンズ状である、
ことを特徴とする請求項２に記載のソーラーパネル用架台。
【発明の詳細な説明】
【技術分野】
【０００１】
本発明は、ソーラーパネルを載置すると共に、太陽光を効率良く利用するソーラーパネル用架台に関する。
【背景技術】
【０００２】
ソーラーパネルは、光エネルギーを電力に変換する太陽電池（ソーラーセル）を複数集めてパネル状にしたものである。ソーラーパネルは、架台に載せて設置する場合があるが、発電効率を上げるためには、太陽光が太陽電池に対して垂直に近い角度で当たるようにする必要がある。そのため、架台も太陽の高度に合わせて傾斜させた状態にするが、時期や時間ごとに角度を調節するとなると、手間もコストも大きくなる。そこで、特許文献１に記載されているように、太陽電池パネル用架台の背面部で光反射させることにより発電効率を高めた発明も公開されている。
【先行技術文献】
【特許文献】
【０００３】
【特許文献１】特開２０１３−１１０２６６号公報
【発明の概要】
【発明が解決しようとする課題】
【０００４】
ソーラーパネルを架台に載せて設置する場合、複数の架台が縦横に並んだ状態で配置される。特許文献１に記載の発明では、架台の背面側で単に太陽光を反射させているだけなので、後方の太陽電池に照射されるものは、ほんの一部である。
【０００５】
そこで、本発明は、架台の背面側で反射させた太陽光を後方の太陽電池に効果的に照射することで発電効率を飛躍的に向上させることのできるソーラーパネル用架台を提供することを目的とする。
【課題を解決するための手段】
【０００６】
上記の課題を解決するために、本発明であるソーラーパネル用架台は、ソーラーパネルを載せる上板と、前記上板を支える前脚及び後脚と、前記後脚の後側に配した背面板と、前記背面板に取り付けた太陽光を反射する反射板と、を有する架台であって、前記反射板は、上下に複数段かつ左右に複数枚がそれぞれ傾きを調整可能に配置され、前記架台は、前後に並べて複数配置され、一の架台で太陽光を受けた各反射板がそれぞれ他の架台のソーラーパネルに向けて反射する、ことを特徴とする。
【０００７】
前記ソーラーパネル用架台は、前記反射板が両端に対して中央を凹ました湾曲面を有する、ことを特徴とする。
【０００８】
前記ソーラーパネル用架台は、前記反射板が前記湾曲面に空けたスライド溝に留具を通すことにより前記背面板に取り付けられ、前記湾曲面をスライドさせることで傾きを調整する、ことを特徴とする。
【０００９】
前記ソーラーパネル用架台は、前記反射板が全体又は一部に凹凸を有する、ことを特徴とする。
【００１０】
前記ソーラーパネル用架台は、前記反射板の凹凸がフレネルレンズ状である、ことを特徴とする。
【発明の効果】
【００１１】
本発明は、架台の背面側で反射させた太陽光を後方の太陽電池に効果的に照射することで発電効率を飛躍的に向上させることができる。
【図面の簡単な説明】
【００１２】
【図１】本発明であるソーラーパネル用架台の斜視図である。
【図２】本発明であるソーラーパネル用架台の後部における側面断面図である。
【図３】本発明であるソーラーパネル用架台の背面板の斜視図である。
【図４】本発明であるソーラーパネル用架台の背面板の正面図である。
【図５】本発明であるソーラーパネル用架台の反射板の中央に凹凸を設けた場合の斜視図である。
【図６】本発明であるソーラーパネル用架台の反射板をフレネルレンズ状に加工した場合の斜視図である。
【図７】本発明であるソーラーパネル用架台の反射板の中央をフレネルレンズ状に加工した場合の斜視図である。
【発明を実施するための形態】
【００１３】
以下に、本発明の実施形態について図面を参照して詳細に説明する。なお、同一機能を有するものは同一符号を付け、その繰り返しの説明は省略する場合がある。
【実施例１】
【００１４】
まず、本発明であるソーラーパネル用架台の構造について詳細に説明する。図１は、ソーラーパネル用架台の斜視図である。ソーラーパネル用架台１００は、複数の架台２００が前後左右に並べて配置される。各架台２００に搭載されたソーラーパネル３００で太陽光発電を行い、それらの電気エネルギーは接続箱に集められ、パワーコンディショナで直流から交流に変換した上で電気が供給される。
【００１５】
ソーラーパネル用架台１００においては、一の架台２００の反射板５００で太陽光を反射させて、一の架台２００の後方にある他の架台２００ａのソーラーパネル３００ａに向けて照射する。他の架台２００ａにおいては、太陽から直接的に受けた太陽光エネルギーと、前方にある一の架台２００から間接的に受けた太陽光エネルギーを、ソーラーパネル３００ａで電力に変換する。
【００１６】
架台２００は、ソーラーパネル３００を載せる上板２１０と、上板２１０を支える前脚２２０及び後脚２２１と、後脚２２１の後側に配した背面板４００と、背面板４００に取り付けた太陽光を反射する反射板５００と、を有する。
【００１７】
上板２１０は、太陽の方向に傾けられ、前脚２２０と後脚２２１の長さで角度を調整する。太陽の相対的な位置は時間と共に変わるので、最も太陽光エネルギーが強くなるときに、太陽光に対して垂直となるようにすれば良い。上板２１０は、平面の板でも良いし、軽量化のために一部が空いた枠状のものでも良い。
【００１８】
前脚２２０は、少なくとも架台２００の前側の左端及び右端に棒状の部材を取り付けられ、後脚２２１は、少なくとも架台２００の後側の左端及び右端に棒状の部材を取り付けられる。前脚２２０及び後脚２２１を伸縮可能にして設置箇所ごとに長さを調整するようにしても良い。
【００１９】
背面板４００は、架台２００の背面側に配置する板であり、反射板５００を取り付けるために設けられる。左端の後脚２２１から右端の後脚２２１にかけて背面板４００を配置すると、強風などの抵抗となる場合があるので、隙間を空けるなどして通気性を確保しても良い。
【００２０】
図２は、ソーラーパネル用架台の後部における側面断面図である。図２に示すように、架台２００においては、ソーラーパネル３００が上板３００に保持されており、上板３００の後端より若干内側の位置に後脚２２１が取り付けられ、上板３００の後端に背面板４００が吊り下げられる。ソーラーパネル３００は、下面が上板３００に接していても良いし、取付金具等で高さを調整して上板３００から浮かせた状態で保持しても良い。
【００２１】
背面板４００には反射板５００が取り付けられるが、背面板４００が下垂に近い状態であるので、太陽光を後方に反射可能なのは上半分であり、下半分は地面に反射する可能性が高いため、反射板５００は少なくとも上半分に取り付ければ良い。また、背面板４００についても反射板５００が取り付けられるサイズであれば良い。なお、上半分は、架台２００の背面を任意の高さの位置で上下に分けた場合の上側の部分であり、下半分はその残りの部分である。
【００２２】
背面板４００の下端が地面より高い位置の場合、背面板４００を架台２００から吊り下げた状態であっても良いが、強風などにより揺れ動かないように、背面板４００から支持部材４１０を前方に延ばして筋交い状に後脚２２１に固定しても良いし、背面板４００から支持部材４１１を下方に延ばして杭状に地面に固定しても良い。さらに、支持部材４１０の場合は、伸縮可能にして背面板４００の角度を調整しても良い。
【００２３】
図３は、ソーラーパネル用架台の背面板の斜視図であり、図４は、ソーラーパネル用架台の背面板の正面図である。すなわち、背面板４００は、架台２００の背面側に配置されるので、架台２００の後方から見た図である。
【００２４】
背面板４００において、反射板５００は、１枚の金属板を使用しても良いが、複数の金属板を並べて使用しても良い。例えば、２枚の金属板を上下に並べても良いし、さらに、図３や図４に示すように、上下段に分けて上段及び下段にそれぞれ複数枚の金属板を横方向に並べても良いし、さらに縦方向に多段になっても良い。複数の反射板５００を背面板４００に配置するために、補助的に枠材４２０などを用いても良い。なお、金属板は、鏡面状でも良いが、太陽光などを反射できれば良い。
【００２５】
複数の反射板５００は、全てを同じ方向を向いていても良いが、反射板５００の向きや角度をそれぞれ変えても良い。例えば、上段に配置された金属板を垂直より若干だけ下方に傾け、下段に配置された金属板を垂直より若干だけ上方に傾けても良い。また、左端又は右端に行くほど中央を向くように角度を調整しても良い。
【００２６】
反射板５００は、平面状にしても良いし、両端に対して中央を凹まして湾曲状にしても良い。反射板５００に湾曲面５１０を形成することにより、太陽光を反射させたときに一点又はライン状に集光させる。
【００２７】
反射板５００の背面板４００への固定は、例えば、反射板５００の上寄りの位置及び下寄りの位置にそれぞれ横長のスライド溝５２０を貫通させ、留具５３０をスライド溝５２０の上面側から下面側に通して枠材４２０に螺合等する。このとき、枠材４２０は、背面板４００の左端から右端にかけて、スライド溝５２０を空けた位置に渡すように設ければ良い。
【００２８】
スライド溝５２０の中心に留具５３０を通したとき、反射板５００で反射させた太陽光が、中央付近に集光するように湾曲する角度を調整する。留具５３０を緩め、スライド溝５２０に沿って反射板５００を左方向又は右方向に回動させれば、反射光が集光する向きが変わる。
【００２９】
このように、ソーラーパネル用架台１００によれば、架台２００の背面側で反射させた太陽光を後方の太陽電池に効果的に照射することで発電効率を飛躍的に向上させることができる。
【実施例２】
【００３０】
次に、反射板の形状のバリエーションについて説明する。図５は、ソーラーパネル用架台の反射板の中央に凹凸を設けた場合の斜視図であり、図６は、ソーラーパネル用架台の反射板をフレネルレンズ状に加工した場合の斜視図であり、図７は、ソーラーパネル用架台の反射板の中央をフレネルレンズ状に加工した場合の斜視図である。
【００３１】
図５に示すように、反射板５００ａには、中央付近など一部に山状の凹凸５４０ａが形成される。凹凸５４０ａは、全て均一な山状にしても良いし、中央からの位置に応じて山の高さや幅を変動させても良い。また、山状に突出させても良いし、谷状に溝を掘っても良い。さらに、山以外の形状にしても良い。反射板５００ａに凹凸５４０ａを形成することで、太陽光の反射効率が変わる。反射板５００ａの湾曲を抑えて反射板５００ａに凹凸５４０ａを形成しても良いし、反射板５００ａの湾曲と凹凸５４０ａの形成を併用しても良い。
【００３２】
図６に示すように、反射板５００ｂには、中央付近など一部にフレネルレンズ状の凹凸５４０ｂが形成される。フレネルレンズのうちリニアフレネルレンズは、中央から端側に向かって鋸状の突起又は溝が平行直線状に並ぶように形成したものであり、太陽光が直線状に集光する。
【００３３】
図７に示すように、反射板５００ｃには、全体にフレネルレンズ状の凹凸５４０ｃが形成される。中央付近だけでなく、全体的に鋸状の突起又は溝が並ぶように形成しても良い。フレネルレンズ状にすることで、太陽光の反射効率が向上する。
【００３４】
反射板５００の表面形状を変えることにより、架台２００の背面側で反射させた太陽光を後方の太陽電池により効果的に照射することが可能となり、発電効率を飛躍的に向上させることができる。
【００３５】
以上、本発明の実施例を述べたが、これらに限定されるものではない。例えば、反射板に蒲鉾状の突起や溝が並んだレンチキュラー状の凹凸を形成しても良いし、円柱の側面の一部を切り出したシリンドリカルレンズ状の凹凸を形成しても良い。
【符号の説明】
【００３６】
１００：ソーラーパネル用架台
２００、２００ａ：架台
２１０：上板
２２０：前脚
２２１：後脚
３００、３００ａ：ソーラーパネル
４００：背面板
４１０、４１１：支持部材
４２０：枠材
５００、５００ａ、５００ｂ、５００ｃ：反射板
５１０：湾曲面
５２０：スライド溝
５３０：留具
５４０ａ、５４０ｂ、５４０ｃ：凹凸
【要約】
【課題】架台の背面側で反射させた太陽光を後方の太陽電池に効果的に照射することで発電効率を飛躍的に向上させることのできるソーラーパネル用架台を提供する。
【解決手段】ソーラーパネル用架台は、ソーラーパネルを載せる上板と、前記上板支える前脚及び後脚と、前記後脚の後側に配した背面板と、前記背面板に取り付けた太陽光を反射する反射板と、を有する架台であって、前記反射板は、上下に複数段かつ左右に複数枚がそれぞれ傾きを調整可能に配置され、前記架台は、前後に並べて複数配置され、一の架台で太陽光を受けた各反射板がそれぞれ他の架台のソーラーパネルに向けて反射する、ことを特徴とする。
【選択図】図１【図１】
0005896500.tif 000002
【図２】
0005896500.tif 000003
【図３】
0005896500.tif 000004
【図４】
0005896500.tif 000005
【図５】
0005896500.tif 000006
【図６】
0005896500.tif 000007
【図７】
0005896500.tif 000008